(57)【要約】【課題】縦桿全体を回転させることによって該縦桿の上端を手摺笠木に固着させ、縦桿の下端を建造物等に取り付けたブラケットにより支持させる場合に、縦桿をブラケットに載置させた後でも容易に手摺笠木と縦桿との固着状態を調整することができる手摺支持装置を提供すること。【解決手段】縦桿６の回転によって縦桿の上端を管状笠木７に固着させる縦桿の下端を、建造物等に固定されるブラケットの他端上面に固着させる手摺支持装置において、縦桿の下端において奥側には内部螺溝１６が且つ手前側には多角レンチ嵌合用の多角孔１７が連続して設けられ、ブラケット上面には、縦桿の下端部を嵌合する円形嵌合孔４が穿設されると共にその下部に円形嵌合孔より小径で多角レンチの操作可能な口径を有する操作孔５が穿設され、頭付き螺子１８が下面から縦桿の内部螺溝１６に締め付けられる。【選択図】図２
2005076353.tif 000002
【特許請求の範囲】
【請求項１】
立設した縦桿全体を回転させることによって該縦桿の上端を手摺笠木に固着させる該縦桿の下端を、一端が建造物等に固定されるブラケットの他端上面に固着させる手摺支持装置において、上端に笠木固着用の止着螺軸が設けられた該縦桿の下端において内部縦方向に奥側には内部螺溝が且つ手前側には多角レンチ嵌合用の多角孔が連続して設けられ、該ブラケット他端上面には、断面円形の該縦桿の下端部を嵌合する円形嵌合孔が穿設されると共にその下部に連続して該ブラケット下面に通じる該円形嵌合孔より小径で多角レンチの操作可能な口径を有する操作孔が穿設され、頭付き螺子が該ブラケット下面から該操作孔を通して該縦桿の該内部螺溝に締め付けられることを特徴とする手摺支持装置。
【請求項２】
前記ブラケットは、建造物等に固着される垂直方向に延びる垂直基板部と、該垂直基板部上方から水平方向に延びる水平板部を備え、該水平板部の該垂直基板部と反対側の端部に前記円形嵌合孔および前記操作孔が穿設され、該水平板部には該操作孔を含む該水平板部の下面を被覆するブラケットカバーが取り付けられていることを特徴とする請求項１記載の手摺支持装置。
【請求項３】
管状笠木内に、該管状笠木の内径に沿う優弧の外面を有し且つ開口した両下縁に連なる周板部の上部内側に軸心向き螺孔を有する突条が突設されると共に平行に対面する該両下縁内側には奥細の截頭円錐状をなす凹面が形成された接続部材が挿入され、前記縦桿上部には円錐面状段部から止着螺軸が立設され、該縦桿の該止着螺軸を該接続部材の該軸心向き螺孔に締め付けることにより該円錐面状段部が該接続部材の該凹面を押圧しながら該接続部材の該周板部を拡開させて該接続部材を該管状笠木に固着させ、これにより該縦桿の上端を該手摺笠木に固着させたことを特徴とする請求項１又は請求項２記載の手摺支持装置。
【請求項４】
管状笠木内に、該管状笠木の内径に沿う優弧の外面を有し且つ開口した両下縁に連なる周板部の上部内側には軸心向き螺孔を有する突条が突設されると共に平行な該両下縁には対向する奥狭の両傾斜面を備えた第一接続部材と、該両下縁における該両傾斜面に嵌合する両楔状側面を有し且つ軸心向き通孔が穿設されると共に該両傾斜面と該管状笠木内面とで囲まれた空間に配置される第二接続部材とが挿入され、前記縦桿上部には平面状段部から止着螺軸が立設され、該縦桿の該止着螺軸を該第二接続部材の該軸心向き通孔を通じて該第一接続部材の該軸心向き螺孔に締め付けることにより該第二接続部材の該両楔状側面が該第一接続部材の該両傾斜面を押圧しながら該第一接続部材の該周板部を拡開させて該第一接続部材を該管状笠木を固着させ、これにより該縦桿の上端を該手摺笠木に固着させたことを特徴とする請求項１又は請求項２記載の手摺支持装置。
【発明の詳細な説明】
【技術分野】
【０００１】
本発明は、建造物等に手摺を支持させる装置、特に建造物等に取り付けたブラケットから立設した縦桿全体を回転させることによって該縦桿の上端を手摺笠木に固着させることにより手摺を支持させる装置に関する。
【背景技術】
【０００２】
縦桿全体を回転させることによって該縦桿の上端を手摺笠木に固着させ、該縦桿の下端を建造物に取り付けたブラケットにより支持させる装置は従来知られている（例えば、特許文献１参照。）。しかしながら従来の支持装置は、手摺笠木への固着のための縦桿回転操作を行う工具適用箇所が明らかでなく、特に縦桿をブラケットに載置された後に手摺笠木と縦桿との固着状態を調整する場合にはきわめて不便であった。
【０００３】
【特許文献１】特開平１０−１８３９２４号公報
【発明の開示】
【発明が解決しようとする課題】
【０００４】
本発明が解決しようとする課題は、縦桿全体を回転させることによって該縦桿の上端を手摺笠木に固着させ、縦桿の下端を建造物等に取り付けたブラケットにより支持させる場合に、縦桿をブラケットに載置させた後でも容易に手摺笠木と縦桿との固着状態を調整することができる手摺支持装置を提供することにある。
【課題を解決するための手段】
【０００５】
本発明では、手摺笠木に固着させる該縦桿の下端を、一端が建造物等に固定されるブラケットの他端上面に固着させる手摺支持装置において、上端に笠木固着用の止着螺軸が設けられた該縦桿の下端において内部縦方向に奥側には内部螺溝が且つ手前側には多角レンチ嵌合用の多角孔が連続して設けられ、該ブラケット他端上面には、断面円形の該縦桿の下端部を嵌合する円形嵌合孔が穿設されると共にその下部に連続して該ブラケット下面に通じる該円形嵌合孔より小径で多角レンチの操作可能な口径を有する操作孔が穿設され、頭付き螺子が該ブラケット下面から該操作孔を通して該縦桿の該内部螺溝に締め付けられることを主な特徴とする。
【発明の効果】
【０００６】
本発明では、ブラケットの水平板部における円形嵌合孔に嵌合された縦桿に対し水平板部の下面から操作孔を通じて多角レンチを挿入して縦桿の多角孔に嵌合させ、多角レンチを操作して縦桿を回転させ管状笠木への固着状態を調整することができるから、笠木を別の手段で持ち上げて笠木への固着状態を調整するような困難な作業は必要がなく調整作業を容易に遂行できるばかりでなく、最終的な設置状態で笠木への固着状態を調整することができるので、各部材に歪み等を残さずに作業を完了できる。
【発明を実施するための最良の形態】
【０００７】
本発明の手摺支持装置は、立設した縦桿全体を回転させることによって該縦桿の上端を手摺笠木に固着させる該縦桿の下端を、一端が建造物等に固定されるブラケットの他端上面に固着させる手摺支持装置において、上端に笠木固着用の止着螺軸が設けられた該縦桿の下端において内部縦方向に奥側には内部螺溝が且つ手前側には多角レンチ嵌合用の多角孔が連続して設けられ、該ブラケット他端上面には、断面円形の該縦桿の下端部を嵌合する円形嵌合孔が穿設されると共にその下部に連続して該ブラケット下面に通じる該円形嵌合孔より小径で多角レンチの操作可能な口径を有する操作孔が穿設され、頭付き螺子が該ブラケット下面から該操作孔を通して該縦桿の該内部螺溝に締め付けられることを基本的な特徴とする。
【０００８】
また、前記ブラケットは、建造物等に固着される垂直方向に延びる垂直基板部と、該垂直基板部上方から水平方向に延びる水平板部を備え、該水平板部の該垂直基板部と反対側の端部に前記円形嵌合孔および前記操作孔が穿設され、該水平板部には該操作孔を含む該水平板部の下面を被覆するブラケットカバーが取り付けられていることを特徴とする。
【０００９】
さらに、管状笠木内に、該管状笠木の内径に沿う優弧の外面を有し且つ開口した両下縁に連なる周板部の上部内側に軸心向き螺孔を有する突条が突設されると共に平行に対面する該両下縁内側には奥細の截頭円錐状をなす凹面が形成された接続部材が挿入され、前記縦桿上部には円錐面状段部から止着螺軸が立設され、該縦桿の該止着螺軸を該接続部材の該軸心向き螺孔に締め付けることにより該円錐面状段部が該接続部材の該凹面を押圧し更に該接続部材の該周板部を拡開させながら該接続部材を該管状笠木に固着させ、これにより該縦桿の上端を該手摺笠木に固着させる笠木固着手段を使用したことを特徴とする。
【００１０】
また、管状笠木内に、該管状笠木の内径に沿う優弧の外面を有し且つ開口した両下縁に連なる周板部の上部内側には軸心向き螺孔を有する突条が突設されると共に平行な該両下縁には対向する奥狭の両傾斜面を備えた第一接続部材と、該両下縁における該両傾斜面に嵌合する両楔状側面を有し且つ軸心向き通孔が穿設されると共に該両傾斜面と該管状笠木内面とで囲まれた空間に配置される第二接続部材とが挿入され、前記縦桿上部には平面状段部から止着螺軸が立設され、該縦桿の該止着螺軸を該第二接続部材の該軸心向き通孔を通じて該第一接続部材の該軸心向き螺孔に締め付けることにより該第二接続部材の該両楔状側面が該第一接続部材の該両傾斜面を押圧しながら該第一接続部材の該周板部を拡開させて該第一接続部材を該管状笠木を固着させ、これにより該縦桿の上端を該手摺笠木に固着させる笠木固着手段を使用したことを特徴とする。
【実施例】
【００１１】
本発明の詳細な特徴について、添付図面に記載された実施例を参照して説明する。
図１乃至図３には、本発明の第１実施例が示されている。建造物Ｂには手摺を支持するブラケット１が取り付けられている。即ちブラケット１は建造物等に固着される金属製の垂直方向に延びる垂直基板部２と、垂直基板部２上方から水平方向に延びる水平板部３を備え、垂直基板部２が建造物ＢにアンカーボルトＡによって固着されている。水平板部３の垂直基板部２と反対側の端部には円形嵌合孔４とその下部に連続して下面に通じる円形嵌合孔４より小径で後述する多角レンチの操作可能な口径を有する操作孔５が穿設されている。
【００１２】
手摺笠木は円形嵌合孔４にその下端を嵌合する縦桿６によってが支持されるが、手摺笠木は縦桿６全体を回転させることによって縦桿６の上端を手摺笠木に固着されるので、本実施例で採用される手摺笠木固着手段を説明する。符号７は手摺笠木を構成する管状笠木である。管状笠木７はステンレス鋼管等の金属管や合成樹脂被覆鋼管等で製造される。図では管状笠木７の中間部分が示されているが、この固着手段では管状笠木７の接続部分でも使用することができる。管状笠木７内には、管状笠木７の内径に沿う優弧の外面を有し且つ開口した両下縁９，９に連なる周板部１０の上部内側には軸心向き螺孔１１を有する突条１２が突設されると共に平行に対面する該両下縁９，９内側には奥細の截頭円錐状をなす凹面１３が形成された接続部材８が挿入されている。前述の縦桿６上部には円錐面状段部１４から止着螺軸１５が立設されており、縦桿６の止着螺軸１５を接続部材８の軸心向き螺孔１１に締め付けることにより、縦桿６の円錐面状段部１４が接続部材８の凹面１３を押圧しながら更に接続部材８の周板部１０を拡開させて接続部材８を管状笠木７に固着させ、これにより縦桿６の上端を管状笠木７に固着させることになる。
【００１３】
縦桿６の下端において内部縦方向の奥側には内部螺溝１６が且つ手前側には多角レンチ嵌合用の多角孔１７が連続して設けられている。そこで縦桿６の上端を管状笠木７に固着させた後に、断面円形の縦桿６の下端部をブラケット１の水平板部３における円形嵌合孔４に嵌合させ、頭付き螺子１８を水平板部３の下面から操作孔５を通じて縦桿６の内部螺溝１６に締め付ければ、縦桿６はブラケット１に確実に取り付けられ、手摺のブラケット１による支持が完成される。管状笠木７への固着状態を調整するために、本発明では、縦桿６の回転はブラケット１の円形嵌合孔４に縦桿６を載置させた後に行うことができる。前記のように水平板部３における円形嵌合孔４の下部には連続して下面に通じる円形嵌合孔４より小径で多角レンチの操作可能な口径を有する操作孔５が穿設されているから、多角レンチの操作はブラケット１の円形嵌合孔４に縦桿６を載置させたままで行うことができる。
【００１４】
図４にはブラケット１が、また図５にはブラケットカバー１９が示される。ブラケットカバー１９は、金属または合成樹脂で製造され、ブラケット１の下面を被覆して内部を保護すると共に外観を整える。ブラケットカバー１９は図２に示されるように単一の取付螺子２０でブラケットに取り付けられるが、単一の螺子による取付によっても脱落しないように且つ部材を補強できるように、ブラケット１およびブラケットカバー１９にはそれぞれ各種の係合手段と補強手段が施されている。
【００１５】
図６乃至図８には、本発明の第２実施例が示されている。第２実施例においてブラケット１の構造および機能等は第１実施例と同様であって、図面に付した符号も同一の符号は同一の箇所を示している。第二実施例においても、手摺笠木はブラケット１の水平板部３における円形嵌合孔４にその下端を嵌合する縦桿６によって支持されるが、手摺笠木が縦桿６全体を回転させることによって縦桿６の上端を手摺笠木に固着させる手摺笠木固着手段が異なるので、第二実施例における手摺笠木固着手段を説明する。第１実施例と同様に符号７は手摺笠木を構成する管状笠木である。管状笠木７はステンレス鋼管等の金属管や合成樹脂被覆鋼管等で製造される。図では管状笠木７の中間部分が示されているが、この固着手段では管状笠木７の接続部分でも使用することができる。管状笠木７内には、管状笠木７の内径に沿う優弧の外面を有し且つ開口した両下縁９，９に連なる周板部１０の上部内側には軸心向き螺孔１１を有する突条１２が突設されると共に平行な両下縁９，９には対向する奥狭の両傾斜面２２，２２を備えた第一接続部材２１と、両下縁９，９における両傾斜面２２，２２に嵌合する両楔状側面２４，２４を有し且つ軸心向き通孔２５が穿設されると共に両傾斜面２２，２２と管状笠木７内面とで囲まれた空間に配置される第二接続部材２３とが挿入されている。縦桿６上部には平面状段部２６から止着螺軸１５が立設されており、縦桿６の止着螺軸１５を第二接続部材２３の軸心向き通孔２５を通じて第一接続部材２１の軸心向き螺孔１１に締め付けることにより、第二接続部材２３の両楔状側面２４，２４が第一接続部材２１の両傾斜面２２，２２を押圧しながら更に２１第一接続部材の周板部１０を拡開させて第一接続部材１０を管状笠木７を固着させ、これにより縦桿６の上端を固着させることになる。このように第二実施例の手摺笠木固着手段は第一実施例と相違するが、縦桿６全体を回転させることによって縦桿６の上端を手摺笠木に固着させる点では同様である。
【図面の簡単な説明】
【００１６】
【図１】第１実施例にかかる手摺支持装置の一部欠截斜視図である。
【図２】第１実施例にかかる手摺支持装置の縦断面図である。
【図３】第１実施例にかかる手摺支持装置の他方向における縦断面図である。
【図４】ブラケットの斜視図である。
【図５】ブラケットカバーの斜視図である。
【図６】第２実施例にかかる手摺支持装置の一部欠截斜視図である。
【図７】第２実施例にかかる手摺支持装置の縦断面図である。
【図８】第２実施例にかかる手摺支持装置の他方向における縦断面図である。
【符号の説明】
【００１７】
１  ブラケット
２  垂直基板部
３  水平板部
４  円形嵌合孔
５  操作孔
６  縦桿
７  管状笠木
８  接続部材
９  下縁
１０  周板部
１１  軸心向き螺孔
１２  突条
１３  凹面
１４  円錐面状段部
１５  止着螺軸
１６  内部螺溝
１７  多角孔
１８  頭付き螺子
１９  ブラケットカバー
２０  取付螺子
２１  第一接続部材
２２  傾斜面
２３  第二接続部材
２４  楔状側面
２５  軸心向き通孔
２６  平面状段部
【図１】
2005076353.tif 000003
【図２】
2005076353.tif 000004
【図３】
2005076353.tif 000005
【図４】
2005076353.tif 000006
【図５】
2005076353.tif 000007
【図６】
2005076353.tif 000008
【図７】
2005076353.tif 000009
【図８】
2005076353.tif 000010